(57)【要約】【課題】配送などに用いる伝票の記入を代行する業務において、記入した伝票を配送依頼人へ送付するのに用いられる伝票送付用封筒を提供する。【解決手段】複数の記入欄２１を有し、少なくともその一つが差出元情報を記載する差出元情報欄２１である伝票基材２０を封入し、差出元へ送付する伝票送付用封筒１０において、少なくとも差出元情報を透視することができる透視部３１を有する第１の封筒基材３０と、第１の封筒基材３０と袋状に貼り合わされる第２の封筒基材４０とを備える。【選択図】図１
2007196573.tif 000002
【特許請求の範囲】
【請求項１】
複数の記入欄を有し、少なくともその一つが差出元情報を記載する差出元情報欄である伝票基材を封入し、差出元へ送付する伝票送付用封筒において、
少なくとも前記差出元情報を透視することができる透視部を有する第１の封筒基材と、
前記第１の封筒基材と袋状に貼り合わされる第２の封筒基材と、
を備える伝票送付用封筒。
【請求項２】
請求項１に記載の伝票送付用封筒において、
前記第２の封筒基材は、折れ線部を挟んで封筒基材部及び封緘基材部を備え、
前記封緘基材部が前記折れ線部で折り曲げられ、封筒開口部を封緘すること、
を特徴とする伝票送付用封筒。
【請求項３】
請求項１又は請求項２に記載の伝票送付用封筒において、
前記第１の封筒基材は、透明又は半透明であり、少なくとも一部に印刷可能部を備えること、
を特徴とする伝票送付用封筒。
【請求項４】
請求項１から請求項３までのいずれか１項に記載の伝票送付用封筒において、
前記第１の封筒基材及び前記第２の封筒基材の貼り合せ部に、封筒開口部を広げるように設けられる補助開口部を備えること、
を特徴とする伝票送付用封筒。
【請求項５】
請求項４に記載の伝票送付用封筒において、
前記第２の封筒基材は、コの字状の接着層を備え、
前記補助開口部は、前記コの字状の接着層の上辺部又は下辺部のどちらか一方を、他辺より短くすることにより、前記封筒開口部を広げられること、
を特徴とする伝票送付用封筒。
【請求項６】
請求項２から請求項５までのいずれか１項に記載の伝票送付用封筒において、
前記第１の封筒基材又は前記第２の封筒基材の少なくとも一方に、封緘接着部を備えること、
を特徴とする伝票送付用封筒。
【請求項７】
請求項６に記載の伝票送付用封筒において、
前記第２の封筒基材に前記封緘接着部が設けられているときに、
前記第１の封筒基材の端部に切り欠き部を備えること、
を特徴とする伝票送付用封筒。
【請求項８】
請求項２から請求項７までのいずれか１項に記載の伝票送付用封筒において、
前記第２の封筒基材の前記封緘基材部は、開封線を備えること、
を特徴とする伝票送付用封筒。
【請求項９】
請求項２から請求項８までのいずれか１項に記載の伝票送付用封筒において、
前記封緘基材部は、前記第１の封筒基材と貼り合わさる面の反対面に機械読取用の記号及び／又は機械読取用の文字を備えること、
を特徴とする伝票送付用封筒。
【発明の詳細な説明】
【技術分野】
【０００１】
本発明は、配送などに用いる伝票の記入を代行する業務に使用される伝票送付用封筒に関するものである。
【背景技術】
【０００２】
宅配業者は、ひとつでも多くの荷物を獲得するために、顧客サービスを充実させており、昨今では、大量の荷物の配送を依頼する顧客だけでなく、少量の荷物の配送を依頼するような会社又は個人などの配送依頼人に対しても、面倒な伝票記入を代行するサービスを受けている。
顧客の要望に応じて、伝票の「お届け先」及び「依頼主」を印字しておいたり、「依頼主」だけであったり、常に決まった商品ならば「品名」まで印字したりと多種にわたり、更に必要とする伝票の枚数も１部から５部程度までと実に様々である。従来は、この印字サービスもそれほど知られてなく、利用者が少なかったため、印字された伝票はＳＤ（セールスドライバ）が配達の合間に手渡ししたり、ポストイン（例えば、特許文献１）したりして、配送依頼者に届けている。
昨今の印字サービスの利用者の増加に伴い、宅配業の片手間では済まないほどＳＤの負担が増大してきた。
【特許文献１】特開２００５−０４７２００号公報
【発明の開示】
【発明が解決しようとする課題】
【０００３】
本発明の課題は、配送などに用いる伝票の記入を代行する業務において、記入した伝票を配送依頼人へ送付するのに用いられる伝票送付用封筒を提供することである。
【課題を解決するための手段】
【０００４】
本発明は、以下のような解決手段により、前記課題を解決する。なお、理解を容易にするために、本発明の実施形態に対応する符号を括弧内に付して説明するが、これに限定されるものではない。
請求項１の発明は、複数の記入欄（２１）を有し、少なくともその一つが差出元情報を記載する差出元情報欄（２１）である伝票基材（２０）を封入し、差出元へ送付する伝票送付用封筒（１０）において、少なくとも前記差出元情報を透視することができる透視部（３１）を有する第１の封筒基材（３０）と、前記第１の封筒基材（３０）と袋状に貼り合わされる第２の封筒基材（４０）とを備える伝票送付用封筒（１０）である。
【０００５】
請求項２の発明は、請求項１に記載の伝票送付用封筒（１０）において、前記第２の封筒基材（４０）は、折れ線部（４３）を挟んで封筒基材部（４１）及び封緘基材部（４２）を備え、前記封緘基材部（４２）が前記折れ線部（４３）で折り曲げられ、封筒開口部を封緘することを特徴とする伝票送付用封筒（１０）である。
【０００６】
請求項３の発明は、請求項１又は請求項２に記載の伝票送付用封筒（１０）において、前記第１の封筒基材（３０）は、透明又は半透明であり、少なくとも一部に印刷可能部（３２）を備えることを特徴とする伝票送付用封筒（１０）である。
【０００７】
請求項４の発明は、請求項１から請求項３までのいずれか１項に記載の伝票送付用封筒（１０）において、前記第１の封筒基材（３０）及び前記第２の封筒基材（４０）の貼り合せ部に、封筒開口部を広げるように設けられた補助開口部（４４−３）を備えることを特徴とする伝票送付用封筒（１０）である。
【０００８】
請求項５の発明は、請求項４に記載の伝票送付用封筒（１０）において、前記第２の封筒基材（４０）は、コの字状の接着層（４４）を備え、前記補助開口部（４４−３）は、前記コの字状の接着層（４４）の上辺部（４４−１）又は下辺部（４４−２）のどちらか一方を、他辺より短くすることにより、前記封筒開口部を広げられることを特徴とする伝票送付用封筒（１０）である。
【０００９】
請求項６の発明は、請求項２から請求項５までのいずれか１項に記載の伝票送付用封筒（１０）において、前記第１の封筒基材（３０）又は前記第２の封筒基材（４０）の少なくとも一方に、封緘接着部（４５）を備えることを特徴とする伝票送付用封筒（１０）である。
【００１０】
請求項７の発明は、請求項６に記載の伝票送付用封筒（１０）において、前記第２の封筒基材（４０）に前記封緘接着部（４５）が設けられているときに、前記第１の封筒基材（３０）の端部に切り欠き部（３３）が設けられていることを特徴とする伝票送付用封筒（１０）である。
【００１１】
請求項８の発明は、請求項２から請求項７までのいずれか１項に記載の伝票送付用封筒（１０）において、前記第２の封筒基材（４０）の前記封緘基材部（４２）は、開封線（４６）を備えることを特徴とする伝票送付用封筒である。
【００１２】
請求項９の発明は、請求項２から請求項８までのいずれか１項に記載の伝票送付用封筒（１０）において、前記封緘基材部（４２）は、前記第１の封筒基材（３０）と貼り合わさる面の反対面に機械読取用の記号（４６）及び／又は機械読取用の文字（４６）を備えることを特徴とする伝票送付用封筒（１０）である。
【発明の効果】
【００１３】
以上説明したように、本発明によれば、以下のような効果がある。
（１）第１の封筒基材は、伝票の差出元情報欄の位置に合わせて透視部を備えているので、伝票送付用封筒に挿入された伝票の差出元情報を、透視部を介して見ることができる。
（２）第２の封筒基材は、封緘基材部を備えているので、伝票送付用封筒の封筒開口部を封緘することができる。
（３）第１の封筒基材は、透明又は半透明であり、少なくとも一部に印刷可能部を備えているので、印刷を施すことにより透視部以外を隠蔽することができる。
（４）伝票送付用封筒の封筒開口部には、補助開口部を備えているので、封筒開口部が広がり、伝票の挿入及び取り出しを容易にすることができる。
（５）第１の封筒基材又は第２の封筒基材の少なくとも一方に封緘接着部を設けているので、容易に伝票送付用封筒を封緘することができる。
（６）第２の封筒基材に封緘接着部が設けられ、第１の封筒基材の端部に切り欠き部が設けられているので、伝票送付用封筒が封緘されるときに、封緘接着部が第１の封筒基材だけでなく第２の封筒基材にも接着され、封緘をより確実にすることができる。
（７）封緘基材部に開封線を備えているので、容易に伝票送付用封筒を開封することができる。
（８）封緘基材部の封緘接着部の反対面に機械読取用の記号及び／又は機械読取用の文字を備えているので、伝票送付用封筒を封緘したときに、機械読取用の記号及び／又は機械読取用の文字と透視部とが同一平面内に存在し、伝票送付用封筒の管理を効率よく行なうことができる。
【発明を実施するための最良の形態】
【００１４】
本発明は、配送などに用いる伝票の記入を代行する業務において、記入した伝票を配送依頼人へ送付するのに用いられる伝票送付用封筒を提供するという目的を、伝票の差出元情報が透視できる第１の封筒基材及び第２の封筒基材を貼り合わせることにより実現する。
【実施例１】
【００１５】
以下、図面等を参照して、本発明の実施例をあげて、さらに詳しく説明する。
図１は、本発明による実施例１の伝票送付用封筒を示す図である。なお、図１（Ａ）は各基材及び配送伝票の詳細を示す図であり、図１（Ｂ）は、配送伝票を伝票送付用封筒に挿入するときの模式図であり、図１（Ｃ）は、配送伝票を内包した伝票送付用封筒の送付するときの形態を示す模式図である。
【００１６】
伝票送付用封筒１０は、図１に示すように、第１の封筒基材３０及び第２の封筒基材４０を接着層４４により貼り合わせることで構成された封筒であり、配送伝票２０を送付するときに使用される。
配送伝票２０は、依頼主記入欄２１、届け先記入欄２２及びその他の記入欄２３を有した複数枚の伝票が綴じられた荷物の配送用の帳票である。
依頼主記入欄２１は、配送伝票２０の配送依頼人（荷物の差出元）の情報を記載する欄である。
届け先記入欄２２は、配送伝票２０の荷受人の宛先を記入する欄である。
その他の記入欄２３は、配送される荷物の中身を記入する記入欄や、配送業者が使用する備考欄などであり、必要に応じて複数欄設けることができる。
【００１７】
第１の封筒基材３０は、透明又は半透明の印刷可能な基材、例えば、グラシン紙であり、宛先情報表示部３１及び印刷領域部３２で構成されている。
宛先情報表示部３１は、印刷などが施されていない第１の封筒基材３０の素材を表出させた透明又は半透明部であり、伝票送付用封筒１０の送付先となる配送伝票２０の依頼主記入欄２１の記入内容が、表示できるように第１の封筒基材３０上に形成されている。
印刷領域部３２は、単色を背景として印刷され、その上に開封方法や宣伝などの情報が印刷される領域であり、伝票送付用封筒１０の内包物（配送伝票２０）の形態及びそれに記載された内容を隠蔽する。
切り欠き部３３は、第１の封筒基材３０の上端部及び下端部に設けられた切り欠きである。
【００１８】
第２の封筒基材４０は、折れ線部４３を挟み封筒基材部４１及び封緘基材部４２で構成されている普通紙である。
封筒基材部４１は、第１の封筒基材と貼り合わされる基材部であり、表面にコの字状の接着層４４を有し、裏面に宣伝などの情報が印刷されている。
封緘基材部４２は、伝票送付用封筒１０の開口部を封緘する基材部であり、ファスナー状のミシン目で構成された開封線４６、及び、表面に封緘接着部４５を備え、また、裏面に伝票送付用封筒１０を電子管理する機械読取用のバーコード４７及び運送会社名が印刷されている。
接着層４４は、コの字状に形成された再剥離不可能な接着剤であり、コの字の上辺部４４−１が下辺部４４−２に比べ短く構成されている。また、第１の封筒基材３０の切り欠き部３３と重なる部分は、接着剤が構成されていない。
補助開口部４４−３は、伝票送付用封筒１０の開口部を広げることができる補助的な開口部であり、接着層４４の上辺部４４−１の隣に設けられた接着剤を有さない領域である。
封緘接着部４５は、伝票送付用封筒１０の封緘用の再剥離不可能な接着剤である。
【００１９】
続いて、実施例１の伝票送付用封筒１０の使用方法を説明する。
配送依頼人は、配送伝票２０の各記入欄を印字による記入を必要とするときに、配送業者に対し伝票記入を依頼する。本実施例では、配送伝票２０の依頼主記入欄２１及び届け先記入欄２２の記入を依頼するが、依頼範囲はこの限りではない。
伝票記入の依頼を受けた配送業者は、図１（Ａ）に示すように、配送伝票２０の依頼のあった記入欄にプリンタで必要事項を印字し、図１（Ｂ）に示すように、配送伝票２０を伝票送付用封筒１０へ挿入する。伝票送付用封筒１０は、補助開口部４４−３が設けられ、第１の封筒基材３０が第２の封筒基材４０に対して大きく開くことができるので、厚みのある配送伝票２０においても容易に入れることができる。
【００２０】
伝票送付用封筒１０に配送伝票２０を完全に挿入すると、図１（Ｃ）に示すように、宛先情報表示部３１に配送伝票２０の依頼主記入欄２１が透視でき、届け先記入欄２２、その他の記入欄２３、及び、配送伝票２０そのものの形態は、印刷領域部３２により完全に隠蔽される。
次に、伝票送付用封筒１０の開口部を封緘するために、配送伝票２０を内包した伝票送付用封筒１０の封緘基材部４２を、折れ線部４３で折り曲げ、第１の封筒基材３０に封緘接着部４５により再剥離不可能に接着する。封緘接着部４５は、第１の封筒基材３０の切り欠き部３３により、第１の封緘基材３０に接着されるのとともに、切り欠き部３３を介して第２の封筒基材４０にも接着され、封緘特性を向上させている。また、封緘することにより、封緘基材部４２の裏面に印刷されたバーコード４７は、図１（Ｃ）のように、宛先情報表示部３１と同じ面に位置し、伝票送付用封筒１０の配送などの管理を効率よくすることができる。バーコード４７により配送手続きを終えた伝票送付用封筒１０は、メール便の配達人へと渡される。
【００２１】
メール便の配達人は、伝票送付用封筒１０の宛先である依頼主記入欄２１の依頼主情報を、宛先情報表示部３１を介して見て、伝票送付用封筒１０を配送依頼人へ送り届ける。
伝票送付用封筒１０を受け取った配送依頼人は、ファスナー状のミシン目４６を用いて伝票送付用封筒１０を開封し、配送伝票２０を取り出す。配送伝票２０の取り出しは、補助開口部４４−３により、挿入時と同じく容易に行なうことができる。配送依頼人は、配送伝票２０の記入内容を確認し、必要に応じて、その他の記入欄２３に荷物の内容などの情報を記入し、荷物に配送伝票２０を貼付して、配送業者へ荷物を手渡す。
【００２２】
以上より、実施例１の伝票送付用封筒１０には以下のような効果がある。
（１）第１の封筒基材３０は、配送伝票２０の依頼主情報欄２１の位置に合わせて透明又は半透明な宛先情報表示部３１を備えているので、伝票送付用封筒１０に挿入された配送伝票２０の依頼主情報を、宛先情報表示部３１を介して見ることができる。
（２）第２の封筒基材４０は、封緘基材部４２を備えているので、伝票送付用封筒１０の封筒開口部を封緘することができる。
（３）第１の封筒基材３０は、透明又は半透明であり、少なくとも一部に印刷領域部３２を備えているので、印刷を施すことにより宛先情報表示部３１以外を隠蔽することができる。
（４）伝票送付用封筒１０の封筒開口部には、補助開口部４４−３を備えているので、封筒開口部が広がり、配送伝票２０の挿入及び取り出しを容易にすることができる。
（５）第１の封筒基材３０又は第２の封筒基材４０の少なくとも一方に封緘接着部４５を設けているので、容易に伝票送付用封筒１０を封緘することができる。
（６）第２の封筒基材４０に封緘接着部４５が設けられ、第１の封筒基材３０の端部に切り欠き部３３が設けられているので、伝票送付用封筒１０が封緘されるときに、封緘接着部３５が第１の封筒基材３０だけでなく第２の封筒基材４０にも接着され、封緘をより確実にすることができる。
（７）封緘基材部４２にファスナー状のミシン目で構成された開封線４６を備えているので、容易に伝票送付用封筒１０を開封することができる。
（８）封緘基材部４２の封緘接着部４５の反対面にバーコード４６を備えているので、伝票送付用封筒１０を封緘したときに、バーコード４６及び宛先情報表示部３１が同一面内に存在し、伝票送付用封筒１０の管理を効率よく行なうことができる。
【００２３】
（変形例）
以上説明した実施例に限定されることなく、種々の変形や変更が可能であって、それらも本発明の均等の範囲内である。
（１）実施例１では、開封を容易にするために開封線４６を設けたが、封緘接着部４５の接着剤に再剥離可能な接着剤を用いてもよい。
（２）実施例１では、配送伝票２０は、一部であったが、複数の配送伝票２０を伝票送付用封筒１０に挿入してもよい。
（３）実施例１では、補助開口部４４−３は伝票送付用封筒１０の上辺部に設けられたが、下辺部に設けてもよい。
（４）実施例１では、封緘接着部４５は、第２の封筒基材４０の封緘基材部４２に設けられたが、第１の封筒基材３０に設けてもよい。また、封緘をより強固にしたい場合などには、第１の封筒基材３０及び封緘基材部４２の両者に封緘接着部４５を設けることも可能である。
（５）実施例１では、伝票送付用封筒１０の管理にバーコード４７を使用していたが、機械読取用の文字（例えば、ＯＣＲ文字）を印刷し、使用してもよい。また、必要に応じて、バーコード４７及び機械読取用の文字を使用することも可能である。
（６）実施例１では、封緘基材部４２の裏面にバーコード４７を印刷していたが、印刷領域部３２に印刷してもよい。
【図面の簡単な説明】
【００２４】
【図１】本発明による実施例１の伝票送付用封筒を示す図である。
【符号の説明】
【００２５】
１０  伝票送付用封筒
２０  配送伝票
３０  第１の封筒基材
３１  宛先情報表示部
４０  第２の封筒基材
４４  接着層
【図１】
2007196573.tif 000003